(57)【特許請求の範囲】
【請求項１】
対向配置された２つの電極を含んでおり微生物数の測定を行う測定電極と、対向配置された２つの電極を含んでおり試料液に含まれる微生物の集菌を行うとともに前記対向配置された２つの電極の対向経路の長さが前記測定電極よりも大きい集菌電極と、を有する測定室と、
前記測定室に設けられており、前記試料液が流入する第１の流入口と、
前記測定室に設けられており、前記試料液が流出する第１の流出口と、
前記測定室に設けられており、微生物数の測定時に、測定液が流入する第２の流入口と、
前記測定室に設けられており、前記測定液が流出する第２の流出口と、
前記第１の流入口と前記第１の流出口との間に形成され、前記第１の流入口から流入した前記試料液を、前記集菌電極上を介して前記第１の流出口へと移動させる集菌流路と、
前記第２の流入口と前記第２の流出口との間に形成され、前記第２の流入口から流入した前記測定液を前記集菌電極上から前記測定電極上に向かって移動させる測定流路と、
を備えている微生物数測定用セル。
【請求項２】
前記集菌流路の幅は、前記測定流路の幅よりも大きい、
請求項１に記載の微生物数測定用セル。
【請求項３】
前記集菌電極は、その幅方向の大きさが、前記集菌流路の幅とほぼ同じになるように形成されている、
請求項１または２に記載の微生物数測定用セル。
【請求項４】
請求項１から３のいずれか１つに記載の微生物数測定用セルと、
前記第１の流入口に接続された検体リザーバと、
前記第１の流出口に接続された前記検体リザーバへの帰還路と、
前記第２の流入口に接続された測定液リザーバと、
前記第２の流出口に接続された前記測定液リザーバへの帰還路と、
前記測定電極に接続されており、前記測定電極上に集められた前記試料液中の微生物数を測定する測定部と、
前記測定電極に接続されており、前記測定電極に対して測定用の電圧を印加する測定交流電源部と、
前記測定部および前記測定交流電源部に接続されており、前記測定部および前記測定交流電源部を制御する制御演算部と、
前記集菌電極に接続されており、前記集菌電極に対して集菌用の電圧を印加する集菌交流電源部と、
を備えている微生物数測定装置。
【請求項５】
前記測定液の導電率は、前記試料液の導電率よりも低い、
請求項１から４のいずれか１項に記載の微生物数測定装置。
【発明の詳細な説明】
【技術分野】
【０００１】
本発明は、微生物数測定用セルおよびこれを用いた微生物数測定装置に関するものである。
【背景技術】
【０００２】
従来の微生物数測定用セル、およびこれを用いた微生物数測定装置は、以下のような構成となっていた。
すなわち、微生物数測定用セルは、試料液に含まれる微生物を測定する測定室と、この測定室に設けられ試料液が流入する流入口と、測定室に設けられ試料液が流出する流出口と、測定室の底部に設けられた測定電極と、を有していた。
【０００３】
また、この微生物数測定用セルを用いる微生物数測定装置は、上記微生物数測定セルの測定電極に接続した測定部および交流電源部を備えている。そして、交流電源部が、集菌用の交流電圧を測定電極に印加して微生物をトラップし、次にパルス電圧を測定電極に印加してトラップした微生物を破壊する。その後、測定用の交流電圧を測定電極に印加して、破壊された微生物からの細胞質の流出によるコンダクタンスの上昇を測定し、微生物数を算出する（例えば、下記特許文献１）。
【先行技術文献】
【特許文献】
【０００４】
【特許文献１】特開平１１−１２７８４６号公報
【発明の概要】
【発明が解決しようとする課題】
【０００５】
上記従来例は、検体中に含まれる微生物数を測定することができるという点で、非常に有益なものであった。一方、測定においては、さらなる高感度化、つまり検体中に含まれる微生物数が少ない場合でも正確に測定したいという要望が高まってきた。
この要望に応える際の課題は、測定時間が長いということであった。
すなわち、従来の微生物の測定においては、微生物を破壊して、この破壊された微生物の細胞質の流出によるコンダクタンスの上昇を測定し、微生物数を算出する。
【０００６】
この時、十分なコンダクタンス上昇を得るためには、適切な微生物数を集める必要があるが、試料液に含まれる微生物数が少ない時には、この収集に多大な時間がかかってしまう。この結果、従来の構成では、全体の測定時間が長くなってしまう。
そこで本発明の目的は、測定感度を向上させ、かつ測定時間の短縮化を図ることが可能な微生物数測定用セルおよびこれを用いた微生物数測定装置を提供することにある。
【課題を解決するための手段】
【０００７】
この目的を達成するために、本発明の微生物数測定用セルは、測定室と、第１の流入口と、第１の流出口と、第２の流入口と、第２の流出口と、集菌流路と、測定流路と、を備えている。測定室は、対向配置された２つの電極を含んでおり微生物数の測定を行う測定電極と、対向配置された２つの電極を含んでおり試料液に含まれる微生物の集菌を行うとともに対向配置された２つの電極の対向経路の長さが測定電極よりも大きい集菌電極とを有する。第１の流入口は、測定室に設けられており、試料液が流入する。第１の流出口は、測定室に設けられており、試料液が流出する。第２の流入口は、測定室に設けられており、微生物数の測定時に測定液が流入する。第２の流出口は、測定室に設けられており、測定液が流出する。集菌流路は、第１の流入口と第１の流出口との間に形成され、第１の流入口から流入した試料液を、集菌電極上を介して第１の流出口へと移動させる。測定流路は、第２の流入口と第２の流出口との間に形成され、第２の流入口から流入した測定液を集菌電極上から測定電極上に向かって移動させる。
【０００８】
これにより、効率よく微生物を集めて高精度な測定を実施するとともに、その測定時間を従来よりも短縮することができる。
すなわち、本発明においては、微生物を測定する際には、まず、第１の流入口から試料液を測定室内に形成される集菌流路に流入させる。そして、この試料液中の微生物が、集菌専用の集菌電極上に集められる。次に、この試料液の流入を止めて、第２の流入口から測定液が測定流路に流入される。その後、集菌電極上に集められた微生物をリリースし、このリリースされた微生物が測定電極において受け取られて微生物数の測定が行われる。
【０００９】
この微生物数の測定においては、コンダクタンスの上昇分を測定していくため、コンダクタンスの上昇に繋がる外乱要因を排除しながら、試料液中の微生物数の起因する上昇分だけを測定する必要がある。
本発明においては、微生物を集める時には、集菌流路中に、集菌専用の集菌電極を設けて微生物を集めている。ここで、集菌電極を大きくすると、コンダクタンスを上昇させる外乱要因となってしまう。しかし、集菌電極では測定を行わないので、コンダクタンス上昇を気にせずに、試料液に含まれる微生物を効率よく集めることができる。その後、この集めた微生物を、測定に適した測定電極に渡して高精度な測定を実施することができる。
【００１０】
この結果、集菌用と測定用とでそれぞれ専用の電極を設けたことで、測定感度を向上させつつ、測定に必要な最低限の微生物を集めるための時間を従来よりも短くすることができるため、測定時間も従来よりも短縮することができる。
【発明の効果】
【００１１】
本発明の微生物数測定用セルによれば、測定感度を向上させ、かつ測定に必要な微生物の数を集めるための時間を短くすることができるため、測定時間を短縮することができる。
【図面の簡単な説明】
【００１２】
【図１】本発明の一実施形態に係る細菌数測定装置の構成を示すブロック図。
【図２】図１の細菌数測定装置に含まれる測定電極の拡大図。
【図３】図１の細菌数測定装置の動作時における要部拡大断面図。
【図４】（ａ），（ｂ），（ｃ）は、図１の細菌数測定装置の動作時における測定電極の要部拡大図。
【図５】図１の細菌数測定装置に含まれる細菌数測定用セルの測定室内の底部を示す平面図。
【図６】図１の細菌数測定装置に含まれる細菌数測定用セルの測定室内の底部を示す平面図。
【図７】図１の細菌数測定装置に含まれる細菌数測定用セルの測定室内の底部を示す平面図。
【発明を実施するための形態】
【００１３】
以下、本発明の一実施形態に係る細菌数測定装置（微生物数測定装置）について、添付図面を用いて説明する。
図１は、微生物（例えば、細菌）の数を測定するための細菌数測定装置の構成を示している。図１中の符号１は、細菌数を測定する測定セル（微生物数測定用セル）である。
測定セル１は、長方形状の基板２の上部に、中央に長方形状の貫通孔３を有する薄板状のスペーサ４を積層し、スペーサ４の上部に、長方形状の蓋体５を積層して構成されている。これにより、測定セル１の内部には、上下方向に薄い長方体形状の測定室６が形成される。
【００１４】
また、測定室６の天井部の右端側（図１の奥側）には、細菌を含んだ試料液を流入させるための流入口（第１の流入口）７ａが設けられ、測定室６の天井部の左端側（図１の手前側）には、試料液が流出する流出口（第１の流出口）７ｂが設けられている。流入口７ａおよび流出口７ｂは、それぞれ蓋体５の上部に突き出すように構成されている。
さらに、測定室６の天井部の一端側（図１の左側）には、細菌数の測定時に使用する測定液を流入させるための流入口（第２の流入口）８ａが設けられ、測定室６の天井部の他端側（図１の右側）には、測定液が流出する流出口（第２の流出口）８ｂが設けられている。流入口８ａおよび流出口８ｂも、それぞれ蓋体５の上部に突き出すように構成されている。
【００１５】
流入口７ａには、送水チューブ１０を介して、試料液を収納した検体リザーバ９ａが接続されている。一方、流出口７ｂには、ポンプ１１ａおよび送水チューブ１０を介して、検体リザーバ９ａが接続されている。これにより、測定室６の試料液が、検体リザーバ９ａに戻るための帰還路が形成される。
さらに、流入口８ａには、送水チューブ１０を介して、測定液を収納した測定液リザーバ９ｂが接続されている。一方、流出口８ｂには、ポンプ１１ｂおよび送水チューブ１０を介して、測定液リザーバ９ｂが接続されている。これにより、測定室６の測定液が、測定液リザーバ９ｂに戻るための帰還路が形成される。
【００１６】
なお、測定室６の底部には、測定液中の細菌を集めるための集菌電極１２、細菌数を測定するための測定電極１３が設けられている。そして、集菌電極１２で集めた細菌を、測定電極１３で受け取った後、細菌を破壊して試料液中の細菌の数を測定する。
なお、測定セル1内における集菌および測定については、後段にて詳細に説明する。
また、集菌電極１２および測定電極１３は、基板２の基材として用いたＰＥＴ上に銀を蒸着させた後、例えば、レーザーによって加工形成される。なお、測定電極１３は、図２に示すように、櫛歯状の電極１３ａ，１３ｂによって構成されている。櫛歯状の電極１３ａ，１３ｂは、長い経路に渡って、両者が極めて近接した状態で対向配置されている。櫛歯状の電極１３ａ，１３ｂに交流電圧を印加することで、両者間に電界を発生させる。そして、この電界の誘電泳動現象によって櫛歯状の電極１３ａ，１３ｂが対向するギャップ部分に測定液中の細菌をトラップして細菌の数を計測する。
【００１７】
なお、集菌電極１２も、測定電極１３と同様に、櫛歯状の電極１２ａ，１２ｂ（図５参照）によって構成されている。櫛歯状の電極１２ａ，１２ｂも、長い経路に渡って、両者が極めて近接した状態で対向配置されている。櫛歯状の電極１２ａ，１２ｂに交流電圧を印加することで、両者間に電界を発生させる。そして、櫛歯状の電極１２ａ，１２ｂが対向するギャップ部分に測定液中の細菌をトラップして細菌の数を計測する。
また、櫛歯状の電極１２ａ，１２ｂは、集菌電極１２からそれぞれ引き出されており、図１に示すように、基板２に設けられた接続部１４を介して集菌交流電源部１５に接続されている。そして、集菌交流電源部１５は、制御演算部１６に接続されている。
【００１８】
一方、測定電極１３の櫛歯状の電極１３ａ，１３ｂも、測定電極１３からそれぞれ引き出されており、図１に示すように、基板２に設けられた接続部１４ａを介して、測定部１７および測定交流電源部１８に接続されている。
また、測定部１７は、測定電極１３のコンダクタンスを測定し、その測定データを制御演算部１６に送る。制御演算部１６では、細菌数を演算算出し、その結果が表示部１９に表示される。
なお、これらの測定の指示を行う操作部２０は、制御演算部１６に接続されている。また、制御演算部１６には、ポンプ１１ａ、ポンプ１１ｂが接続されている。
【００１９】
図３は、測定室６において、測定液が流れる様子を模式的に示した断面図である。
本実施形態においては、図１のスペーサ４の厚さを、例えば、２５０μｍとしている。このため、測定室６の高さは、２５０μｍとなる。この上下方向に薄い測定室６の中を、上流側（図３の左側）から下流側（図３の右側）に向かって、試料液、あるいは測定液が流れていく。
なお、測定室６の底部には、集菌電極１２が設けられている。そして、測定液中の細菌を、集菌電極１２が形成した電界によって生じる誘電泳動力によって、集菌電極１２上にトラップするトラップ空間２１が形成される。これにより、トラップ空間２１を通過する細菌がトラップされ、集菌される。
ここで、測定電極１３においても、集菌電極１２と同様に、電界が形成されることにより、トラップ領域（図示せず）が形成される。このトラップ領域（図示せず）を通過する細菌を、トラップして集めた後、細菌の数が測定される。
【００２０】
図４は、測定電極１３における測定の流れを説明するための図である。図４（ａ）は、測定電極１３に細菌をトラップした時の様子を表している。図４（ｂ）は、このトラップした細菌を破壊する時の様子を表している。図４（ｃ）は、図１の測定部１７が細菌数を測定している時の様子を表している。
この測定方法に関しては、公知のものであり、先行技術文献として挙げた特許文献に記載されているため、ここでは詳細な説明は割愛する。なお、細菌数の測定時には、まず、制御演算部１６の指示によって測定交流電源部１８から測定電極１３に交流電圧が印加され、これにより発生した電界によって、図４（ａ）に示すように、細菌をトラップする。
【００２１】
次に、測定交流電源部１８が測定電極１３に対して細菌破壊用のパルス電圧を印加すると、エネルギーの大きいパルス電圧が印加されたことにより、図４（ｂ）に示すように、細菌の外側を覆った細胞膜が破壊され、細胞膜に多数の小孔が形成される。そして、図４（ｃ）に示すように、細菌の中身の細胞質が、この小孔を通じて外部へと溶出していく。
このとき、溶出した細菌の細胞質は、そのほとんどが高導電率の細胞質である。このため、測定電極１３の近傍では、一時的に電解質濃度、つまり、コンダクタンスが上昇する。よって、測定交流電源部１８から測定電極１３に対して測定用の交流電圧が印加され、測定部１７において上昇したコンダクタンスが測定される。その後、上昇したコンダクタンス値が制御演算部１６に送られ、上昇したコンダクタンスの最大値に基づいて、試料液中の細菌数を推定する。
【００２２】
さて、図５〜図７は、本実施形態における測定セル１を、その上方から透過して見た平面図であって、試料液の流入口７ａ、流出口７ｂ、および測定液の流入口８ａ、流出口８ｂ、集菌電極１２、測定電極１３の位置関係が示されている。
なお、上述したように、試料液の流入口７ａ、流出口７ｂ、および測定液の流入口８ａ、流出口８ｂは、測定室６の天井部に設けられている。また、集菌電極１２および測定電極１３は、測定室６の底部に設けられている。
【００２３】
図５は、集菌時における、測定室６内部の様子を説明するための図である。測定室６は、その中央部から一端側にかけて、長方形状の測定室６の右側（図６の上側）が、測定室６の外方に向けて台形状に拡張されている。そして、この拡張部には、細菌を含んだ試料液を流入させるための流入口７ａが設けられている。
これにより、流入口７ａから流入した試料液は、台形に沿って放射状に、流入口７ａから集菌電極１２の方向へと流れ込む。
【００２４】
また、測定室６は、その中央部から一端側にかけて、左側（図６の下側）が、測定室６の外方に向けて台形状に拡張されている。そして、この拡張部には、試料液を流出させるための流出口７ｂが設けられている。
これにより、流入口７ａから流入して集菌電極１２上を通過した試料液は、この拡張された台形部分に沿って集合し、流出口７ｂから測定室６外部へと流出される。
【００２５】
したがって、流入口７ａと流出口７ｂとの間には、図６に示すように、流入口７ａから流出口７ｂ方向とは直交する方向に大きく膨らんだ集菌流路２２が形成される。
ここで、集菌電極１２は、流入口７ａと流出口７ｂとの間に配置されている。よって、図６に示すように、試料液は、集菌電極１２上を介して流れる。
なお、集菌電極１２は、その長手方向が、集菌流路２２の大きく膨らんだ幅方向（図６中の左右方向）に沿って配置されている。そして、集菌電極１２の幅は、集菌流路２２の幅と、ほぼ同一の大きさになるように配置されている。
【００２６】
また、図７は、細菌数を測定する際の測定室６内部の様子を説明するための図である。
図７に示すように、長方形状の測定室６の一端側（図７の左側）には、測定時に使用する測定液を流入させるための流入口８ａが設けられている。また、測定室６の他端側（図７の右側）には、測定液が流出する流出口８ｂが設けられている。
そして、流入口８ａから注入された測定液は、流入口８ａから流出口８ｂまでの間において、測定室６の幅方向に拡張された拡張部分に沿って、膨らみを持って流れる。その後、測定液は、測定室６の左側（図７中の下側）の側壁によって中央部分に向かって絞られるように流れていき、測定流路２３が形成される。
【００２７】
この時、集菌電極１２および測定電極１３は、流入口８ａと流出口８ｂとの間に配置されている。このため、図７に示すように、測定液は、集菌電極１２上を流れた後で測定電極１３上を流れる。
なお、測定電極１３については、上述した集菌電極１２に比べて、大きさ（櫛歯状の電極１３ａ，１３ｂが対向する対向経路の長さ）が小さくなるように形成されている。
【００２８】
この理由について、以下で説明する。
集菌電極１２および測定電極１３は、それぞれが１対の櫛歯状の電極１２ａ，１２ｂおよび電極１３ａ，１３ｂによって構成されている。これらの櫛歯状の電極１２ａ，１２ｂおよび電極１３ａ，１３ｂは、長手方向に沿った経路に渡って、両者が極めて近接した状態で対向配置されている。ここで、この対向した経路が長い場合には、電流が流れやすくなるため、インピーダンスが低下するとともに、コンダクタンスが上昇する。
【００２９】
測定電極１３を用いた測定時には、細菌が破壊されることで上昇するコンダクタンスを測定するため、経路長に起因するコンダクタンスの上昇は外乱となることから、このような外乱要因はできるだけ排除されることが好ましい。
一方、集菌電極１２を用いた集菌時には、櫛歯状の電極１２ａ，１２ｂができるだけ長い経路を持って、素早く集菌することが望ましい。
そこで、本実施形態の測定セル１では、集菌に適した長い経路を持った櫛歯状の電極１２ａ，１２ｂを、集菌専用の集菌電極１２として配置し、測定に適した短い経路を持った櫛歯状の電極１３ａ，１３ｂを、測定専用の測定電極１３として配置している。
【００３０】
＜集菌時および測定時の動作＞
本実施形態の測定セル１を含む細菌数測定装置における集菌時の動作と測定時の動作について、以下で説明する。
（集菌時の動作）
まず、図１および図６を用いて、集菌時の動作について説明する。
図１に示す細菌数測定装置では、集菌時には、まず、制御演算部１６がポンプ１１ａを動作させる。すると、検体リザーバ９ａに収納された試料液は、送水チューブ１０、流入口７ａを介して、測定室６に流入する。そして、試料液は、測定室６内において集菌流路２２（図６参照）を形成しながら、測定室６の右側（図６の上側）から左側（図６の下側）へと流れていく。その後、試料液は、流出口７ｂを介して測定室６から流出し、ポンプ１１ａを介して、検体リザーバ９ａへと戻される。
【００３１】
次に、制御演算部１６は、集菌交流電源部１５によって、集菌電極１２に対して集菌用の交流電圧を印加する。これにより、試料液中に含まれる細菌が、集菌電極１２上に形成されるトラップ空間２１に集められる。
そして、集菌電極１２に十分に細菌を集めた後、ポンプ１１ａを停止することで、流入口７ａへの試料液の供給が停止される。このため、集菌流路２２は、これ以降は非形成状態となる。
【００３２】
（測定時の動作）
次に、測定動作について、図１および図７を用いて説明する。
図１に示す細菌数測定装置において、制御演算部１６がポンプ１１ｂを動作させると、測定液リザーバ９ｂに収納された測定液（例えば、純水）は、送水チューブ１０、流入口８ａを介して、測定室６に流入する。そして、測定液は、測定室６内において、測定流路２３（図７参照）を形成しながら、一端側（図７中の左側）から他端側（図７中の右側）へと流れていく。その後、測定液（例えば、純水）は、流出口８ｂを介して測定室６から流出し、ポンプ１１ｂを介して、測定液リザーバ９ｂへと戻される。
【００３３】
次に、制御演算部１６は、集菌電極１２に対する集菌用の交流電圧の印加を停止する。すると、集菌電極１２上に形成されたトラップ空間２１に集められていた細菌は、外力を受けない自由な状態となり、図７に示す測定経路に沿って、集菌電極１２よりも下流側に設けられた測定電極１３へと流出する。
そして、この時、制御演算部１６は、測定交流電源部１８によって、まず測定電極１３に対して測定電圧を印加する。
【００３４】
すると、測定電極１３は、大きな集菌電極１２によって集められた細菌を、効率よく受け取ることができる。これにより、測定に必要な細菌の数を、効率よく測定電極１３上に集めることができる。
その後、上述したように、公知の方法を用いて測定を行い、制御演算部１６は、細菌数を求めて、その結果（例えば、１×１０の２乗（ｃｆｕ／ｍｌ））を表示部１９に表示させる。
【００３５】
すなわち、本実施形態では、細菌を集めるときには、集菌に適した大きな集菌電極１２を用いて素早く集め、その集めた細菌を測定に適した測定電極に渡して測定する。
これにより、測定に必要な微生物の数を集めるための時間を従来よりも短くすることができるため、測定時間を従来よりも短縮することができる。
さらに、本実施形態においては、図６および図７に示すように、集菌流路２２の幅（図６中の左右方向の大きさ）は、測定流路２３の幅（図７中の上下方向の大きさ）よりも大きい。つまり、集菌流路２２は、上述したように、流入口７ａから流出口７ｂへの方向（図６中の上下方向）とは直交する方向に、大きく膨らんで形成される。
【００３６】
この理由について、以下で説明する。
まず、集菌時においては、集菌電極１２上を流れる測定液の流速と、集菌電極１２によって形成されるトラップ空間２１（図３参照）の高さ方向における大きさは、トレードオフの関係にある。
つまり、測定液の流速が遅い場合には、トラップ空間２１の高さ方向における大きさは拡大される。しかし、流速が遅いために、単位時間当たりのトラップ空間２１を通過する細菌の数は少なくなるため、集菌効率が低下してしまう。
【００３７】
このため、トラップ空間２１を通過する細菌の数を多くしようとして、流速を大きくすると、集菌電極１２が細菌を引きつける力よりも、流速が細菌を運ぶ力の方が大きくなって、トラップ空間２１の高さ方向における大きさが小さくなってしまう。よって、流速を遅くしても早くしても、いずれの場合も集菌効率が低下してしまう。
本実施形態においては、図６および図７に示すように、集菌流路２２は、その幅が、測定流路２３の幅よりも大きくなるように形成される。さらに、集菌流路２２は、流入口７ａから流出口７ｂへの方向（図６中の上下方向）とは直交する方向に、大きく膨らんで形成される。そして、この大きな膨らみの下に、集菌電極１２が配置される。
【００３８】
このため、集菌電極１２上に形成されるトラップ空間２１にできるだけ多くの細菌を送り込むために、流入口７ａに大量の試料液を流し込んだ場合には、流入口７ａから流入してくる試料液は、図６に示すように、流入口７ａ近傍の台形の拡張部に沿って放射状に広がりながら、集菌流路２２の膨らみに向かって流れていく。そして、その流速は、徐々に緩やかになりながら低下していく。
【００３９】
これにより、集菌電極１２においては、この十分に流速が下がった状態で、効率よく細菌を集菌することができる。
また、集菌電極１２上に形成されるトラップ空間２１を通過した試料液は、流出口７ｂに向かって集められながら、測定室６から素早く排出される。
したがって、集菌流路２２に向けて送り込む試料液の量を多くすることができ、この試料液に含まれる細菌を、集菌電極１２上に形成されるトラップ空間２１に効率よく集めることができる。
【００４０】
その結果、測定に必要な細菌（微生物）の数を集めるために要する時間を、従来よりも短くすることができるため、細菌数を測定する時間も従来よりも短縮することができる。
さらに、本実施形態においては、集菌電極１２は、測定室６の形状によって形成される集菌流路２２の幅方向の大きさと集菌電極１２の幅とがほぼ同一するように形成されている。
【００４１】
これにより、流入口７ａから集菌流路２２に大量に送り込まれた測定液のほぼ全てが、集菌電極１２上を通過することができる。このため、集菌電極１２上に形成されるトラップ空間２１において、効率よく細菌を集めることができる。
その結果、測定に必要な細菌（微生物）の数を集めるために要する時間を従来よりも短くすることができるため、細菌数を測定する時間も従来よりも短縮することができる。
【００４２】
さらに、本実施形態においては、測定液として、試料液よりも導電率が低いもの、例えば、純水を用いている。そして、この純水によって細菌が測定電極１３の方へ運ばれて測定が実施される。なお、ここでいう純水とは、水道水などの原料水に含まれる電解質やその他の不純物を取り除き、導電率を１μＳ／ｃｍ程度まで下げた水を指す。
ここで、測定電極１３では、上述したように、コンダクタンスの測定を行われるが、測定液には、試料液よりも導電率が低い溶液（本実施形態においては、純水）を用いている。このため、測定液によるコンダクタンスの上昇が少ない。一方、測定液のコンダクタンスが高い状態では、パルス電圧が印加され破壊された細菌から溶出した電解質によるコンダクタンス、すなわち測定信号が相対的に小さくなる。このため、より多くの微生物を測定電極１３に集める必要が生じ、結果として全体の測定時間が長くなってしまう。
【００４３】
本実施形態の細菌数測定装置では、測定液として純水を用いることで、測定液のコンダクタンスが低い状態、つまり、外乱要因が少ない状態で、測定を実施することができる。これにより、外乱要因が少ない状態で、細菌の破壊によるコンダクタンスの上昇を高感度に測定することができる。その結果、測定精度を向上させつつ、測定に必要な微生物の数を集めるための時間を従来よりも短くすることができるので、最近数を測定するために要する時間も従来よりも短縮することができる。
【００４４】
なお、上述したように、測定液として望ましい条件は、導電率が低いことである。このため、測定液としては、純水以外にも、導電率の低さが純水と比較しても遜色のない、例えば、マニトールなどのバッファを用いることも可能である。
また、測定液の導電率としては、純水に近い方がよく、例えば、５０μＳ／ｃｍ以下、より望ましくは１０μＳ／ｃｍ以下であることが望ましい。
【産業上の利用可能性】
【００４５】
本発明は、測定感度を向上させ、かつ測定時間を短縮することができるという効果を奏することから、微生物数測定用セルおよびこれを用いた微生物数測定装置として広く活用が期待されるものである。
【符号の説明】
【００４６】
１      測定セル（微生物数測定用セル）
２      基板
３      貫通孔
４      スペーサ
５      蓋体
６      測定室
７ａ    流入口（第１の流入口）
７ｂ    流出口（第１の流出口）
８ａ    流入口（第２の流入口）
８ｂ    流出口（第２の流出口）
９ａ    検体リザーバ
９ｂ    測定液リザーバ
１０    送水チューブ
１１ａ  ポンプ
１１ｂ  ポンプ
１２    集菌電極
１２ａ，１２ｂ  櫛歯状の電極
１３    測定電極
１３ａ，１３ｂ  櫛歯状の電極
１４    接続部
１４ａ  接続部
１５    集菌交流電源部
１６    制御演算部
１７    測定部
１８    測定交流電源部
１９    表示部
２０    操作部
２１    トラップ空間
２２    集菌流路
２３    測定流路
【図１】
0005722610.tif 000002
【図２】
0005722610.tif 000003
【図３】
0005722610.tif 000004
【図４】
0005722610.tif 000005
【図５】
0005722610.tif 000006
【図６】
0005722610.tif 000007
【図７】
0005722610.tif 000008